【手続補正書】
【提出日】平成19年3月22日(2007.3.22)
【手続補正１】
【補正対象書類名】明細書
【補正対象項目名】特許請求の範囲
【補正方法】変更
【補正の内容】
【特許請求の範囲】
【請求項１】  外部バスを介して互いに接続された第１のＬＳＩと第２のＬＳＩとの間でデータを伝送する方法であって、
第１のＬＳＩの内部においてデータをスクランブルし、
スクランブルされたデータを第１のＬＳＩから第２のＬＳＩへ外部バスを通じて伝送し、
第２のＬＳＩの内部において、スクランブルされたデータをデスクランブルすることを特徴とする、デジタルデータ伝送方法。
【請求項２】  外部バスを介して互いに接続されたディジタル信号処理ＬＳＩおよびＤ／Ａ変換ＬＳＩを備えた、音楽記録媒体を再生するためのオーディオ再生装置において、ディジタル信号処理ＬＳＩからＤ／Ａ変換ＬＳＩへ外部バスを通じてディジタル信号を伝送する方法であって、
前記ディジタル信号処理ＬＳＩの内部において、
前記音楽記録媒体から読み出されたディジタル信号を処理し、
処理後のディジタル信号をスクランブルし、
スクランブルされたディジタル信号を前記ディジタル信号処理ＬＳＩから前記Ｄ／Ａ変換ＬＳＩへ前記外部バスを通じて伝送し、
前記Ｄ／Ａ変換ＬＳＩの内部において、
前記外部バスを通じて伝送されてくるスクランブルされたディジタル信号をデスクランブルし、
デスクランブル後のディジタル信号をＤ／Ａ変換することを特徴とする、ディジタル信号伝送方法。
【請求項３】  音楽記録媒体を再生するためのオーディオ再生装置であって、
外部バスを介して互いに接続されたディジタル信号処理ＬＳＩおよびＤ／Ａ変換ＬＳＩを備え、
前記ディジタル信号処理ＬＳＩの内部に、
前記音楽記録媒体から読み出されたディジタル信号を処理するディジタル信号処理手段、および
前記ディジタル信号処理手段から出力されるディジタル信号をスクランブルするスクランブル処理手段を含み、
前記Ｄ／Ａ変換ＬＳＩの内部に、
前記外部バスを通じて伝送されてくるスクランブルされたディジタル信号をデスクランブルするデスクランブル処理手段、および
前記デスクランブル処理手段から出力されるディジタル信号をＤ／Ａ変換するＤ／Ａ変換手段を含む、オーディオ再生装置。
【請求項４】  前記音楽記録媒体から読み出されたディジタル信号を構成するパケットのヘッダに記述されている当該ディジタル信号の属性情報を読み取るヘッダ読み取り手段、
前記ヘッダ読み取り手段が読み取った属性情報を解析するヘッダ解析部、および
前記ヘッダ解析部の解析結果に基づいて、前記スクランブル処理手段および前記デスクランブル処理手段を制御するスクランブル／デスクランブル制御手段をさらに備える、請求項３に記載のオーディオ再生装置。
【請求項５】  前記属性情報には、前記ディジタル信号を再生して得られる音声の品質（以下、ディジタル信号の品質）に関連する情報が含まれ、
前記スクランブル／デスクランブル制御手段は、前記ヘッダ解析部の解析結果が示す前記ディジタル信号の品質に基づいて、当該ディジタル信号の品質に見合った秘匿性が実現されるように、前記スクランブル処理手段および前記デスクランブル処理手段を制御することを特徴とする、請求項４に記載のオーディオ再生装置。
【請求項６】  前記ディジタル信号の品質は、当該ディジタル信号のサンプリング周波数および／または量子化ビット数であることを特徴とする、請求項５に記載のオーディオ再生装置。
【請求項７】  前記スクランブル／デスクランブル制御手段は、
前記ディジタル信号に関して予め決められた複数段階の品質、および各品質に見合った秘匿性を実現するための複数のスクランブル／デスクランブル情報に付与された識別子とが互いに対応付けて記載されたテーブルと、当該複数のスクランブル／デスクランブル情報とを持っており、
当該テーブルを参照することによって、前記ヘッダ解析部の解析結果が示す前記ディジタル信号の品質と対応するスクランブル／デスクランブル情報を選択し、
選択したスクランブル／デスクランブル情報を前記スクランブル処理手段および前記デスクランブル処理手段に与えることによって、当該スクランブル処理手段および当該デスクランブル処理手段を制御することを特徴とする、請求項５に記載のオーディオ再生装置。
【請求項８】  前記スクランブル／デスクランブル制御手段は、
前記テーブルを持っており、当該テーブルを参照することによって、前記ヘッダ解析部の解析結果が示す前記ディジタル信号の品質と対応するスクランブル／デスクランブル情報を選択し、選択したスクランブル／デスクランブル情報の識別子を出力するスクランブル／デスクランブル情報選択部、
前記複数のスクランブル情報を持っており、当該複数のスクランブル情報のうち、前記スクランブル／デスクランブル情報選択部から出力された識別子と対応するスクランブル情報を前記スクランブル処理手段に与えるスクランブル制御部、および
前記複数のデスクランブル情報を持っており、当該複数のデスクランブル情報のうち、前記スクランブル／デスクランブル情報選択部から出力された識別子と対応するデスクランブル情報を前記デスクランブル処理手段に与えるデスクランブル制御部によって構成され、
前記スクランブル制御部が前記ディジタル信号処理ＬＳＩの内部に含まれ、かつ、前記デスクランブル制御部が前記Ｄ／Ａ変換ＬＳＩの内部に含まれることを特徴とする、請求項７に記載のオーディオ再生装置。
【請求項９】  前記属性情報には、前記ディジタル信号において、どの位置がトラックの境界であるかを示す情報が含まれ、
前記スクランブル／デスクランブル制御手段は、複数のスクランブル／デスクランブル情報を持っており、ユーザの指示に応じ、当該複数のスクランブル／デスクランブル情報のいずれかをトラック単位で選択して、前記スクランブル処理手段および前記デスクランブル処理手段に与えることを特徴とする、請求項４に記載のオーディオ再生装置。
【請求項１０】  前記属性情報には、前記ディジタル信号において、どの位置がグループの境界であるかを示す情報が含まれ、
前記スクランブル／デスクランブル制御手段は、複数のスクランブル／デスクランブル情報を持っており、ユーザの指示に応じ、当該複数のスクランブル／デスクランブル情報のいずれかをグループ単位で選択して、前記スクランブル処理手段および前記デスクランブル処理手段に与えることを特徴とする、請求項４に記載のオーディオ再生装置。
【請求項１１】  前記スクランブル処理手段は、前記ディジタル信号処理手段から出力されるディジタル信号を、チャネル毎にサンプルポイントを単位としてスクランブルすることを特徴とする、請求項３に記載のオーディオ再生装置。
【請求項１２】  前記スクランブル処理手段は、前記ディジタル信号処理手段から出力されるディジタル信号を、チャンネル毎にバイトを単位としてスクランブルすることを特徴とする、請求項３に記載のオーディオ再生装置。
【請求項１３】  前記スクランブル処理手段は、前記ディジタル信号処理手段から出力されるディジタル信号を、チャンネル間でサンプルポイントを単位としてスクランブルすることを特徴とする、請求項３に記載のオーディオ再生装置。
【請求項１４】  前記スクランブル処理手段は、前記ディジタル信号処理手段から出力されるディジタル信号を、チャンネル間でバイトを単位としてスクランブルすることを特徴とする、請求項３に記載のオーディオ再生装置。
【手続補正２】
【補正対象書類名】明細書
【補正対象項目名】発明の名称
【補正方法】変更
【補正の内容】
【発明の名称】デジタルデータ伝送方法、およびその方法を用いたオーディオ再生装置